(57)【要約】  本発明の電子機器は、第１ハウジングと、第２ハウジングと、前記第１ハウジングと前記第２ハウジングとを連結する支点部と、前記第１ハウジングの一端が前記第２ハウジングの一端に当接するように、前記第１ハウジング及び前記第２ハウジングに弾性力を付与するスプリングと、前記第１ハウジングの内部に配置されるコネクタと、を備え、前記第１ハウジング、前記第２ハウジング、前記支点部及び前記スプリングは、前記第１ハウジングの前記一端と前記第２ハウジングの前記一端とで対象物を挟持可能なクリップとして機能し、前記コネクタは、前記第１ハウジングの側面に設けられた開口部を通して、外部の環境発電モジュールが備えるコネクタと機械的かつ電気的に着脱可能である。
2020021895.tif 000002
【特許請求の範囲】
【請求項１】
第１ハウジングと、
第２ハウジングと、
前記第１ハウジングが前記第２ハウジングに対して回動可能となるように、前記第１ハウジングと前記第２ハウジングとを連結する支点部と、
前記第１ハウジングの一端が前記第２ハウジングの一端に当接するように、前記第１ハウジング及び前記第２ハウジングに弾性力を付与するスプリングと、
前記第１ハウジングの内部に配置されるコネクタと、を備え、
前記第１ハウジング、前記第２ハウジング、前記支点部及び前記スプリングは、前記第１ハウジングの前記一端と前記第２ハウジングの前記一端とで対象物を挟持可能なクリップとして機能し、
前記コネクタは、前記第１ハウジングの側面に設けられた開口部を通して、外部の環境発電モジュールが備えるコネクタと機械的かつ電気的に着脱可能である、電子機器。
【請求項２】
請求項１に記載の電子機器において、
前記環境発電モジュールから前記コネクタを介して供給される電力を蓄える二次電池と、
前記環境発電モジュールから供給される電力、又は、前記二次電池から供給される電力を消費可能な負荷回路要素と、をさらに備え、
前記二次電池及び前記負荷回路要素は、前記第１ハウジング及び前記第２ハウジングのいずれかの内部に配置されている、電子機器。
【請求項３】
請求項２に記載の電子機器において、
前記二次電池及び前記負荷回路要素は、前記第１ハウジングの内部に配置されている、電子機器。
【請求項４】
請求項２又は３に記載の電子機器において、
前記負荷回路要素は、発光素子である、電子機器。
【請求項５】
請求項２又は３に記載の電子機器において、
前記負荷回路要素は、
発光素子と、
第１の期間及び第２の期間を交互に生成するタイマと、
前記発光素子に供給する電流を制御する波形整形回路と、を備え、
前記波形整形回路は、前記第１の期間の間は前記発光素子に供給する電流を時間とともに増加させ、前記第２の期間の間は前記発光素子に供給する電流を時間とともに減少させる、電子機器。
【請求項６】
請求項２から５のいずれか一項に記載の電子機器において、
配線基板をさらに備え、
前記負荷回路要素は、前記配線基板上に配置されている、電子機器。
【請求項７】
請求項６に記載の電子機器において、
前記二次電池及び前記配線基板は、前記第１ハウジングの内部に配置され、
前記二次電池は、前記第１ハウジングの前記第２ハウジング側の面と、前記配線基板との間に配置されている、電子機器。
【請求項８】
請求項１から７のいずれか一項に記載の電子機器において、
前記第２ハウジングは、平面状の底面部、又は脚部を有する、電子機器。
【請求項９】
請求項１から８のいずれか一項に記載の電子機器において、
前記第１ハウジングは、前記支点部及び前記スプリングと連結する第１クリップ部と、前記第１クリップ部と着脱可能なカバー部と、を備える、電子機器。
【請求項１０】
請求項１から８のいずれか一項に記載の電子機器において、
前記第１ハウジングは、
前記支点部及び前記スプリングと連結する第１クリップ部と、
カバー部と、
前記第１クリップ部の一端と、前記カバー部の一端とを連結する連結部と、を備え、
前記カバー部は、前記連結部を支点として前記第１クリップ部に対して回動可能である、電子機器。
【請求項１１】
請求項９又は１０に記載の電子機器において、
前記カバー部は、複数の光透過性を有するカバー部ユニットを備える、電子機器。
【請求項１２】
請求項１から１１のいずれか一項に記載の電子機器において、
前記第２ハウジングは、外部支持体に接着可能な接着部を有する、電子機器。
【発明の詳細な説明】
【技術分野】
【０００１】
本発明は、電子機器に関する。
【背景技術】
【０００２】
近年、商用電源を得られない外出先などでも電力を供給できるように、外部環境に応じた電力を発電する携帯型の環境発電モジュールの需要が高まっている。このような環境発電モジュールとしては、例えば、太陽光等の光エネルギーを用いて発電する太陽電池を備える太陽電池モジュールが挙げられる。【０００３】
携帯型の環境発電モジュールを何らかの対象物に装着できると、環境発電モジュールを設置する際の自由度が高まり便利である。例えば、特許文献１には、装着クリップの表面に太陽電池が設けられた電子機器が開示されている。
【先行技術文献】
【特許文献】
【０００４】
【特許文献１】実開平１−８７５６号公報
【発明の概要】
【発明が解決しようとする課題】
【０００５】
装着クリップの表面に太陽電池が設けられていると、クリップを対象物に装着する際に、太陽電池を直接把持してクリップを開く必要があるため、太陽電池に直接応力がかかり、太陽電池が破損しやすくなるおそれがあった。【０００６】
そこで、本発明の目的は、上述した課題を解決し、環境発電モジュールに直接応力をかけずに対象物に装着可能であり、かつ、環境発電モジュールから電力の供給を受けることが可能な電子機器を提供することにある。
【課題を解決するための手段】
【０００７】
この発明は、上記課題を有利に解決することを目的とするものであり、本発明の電子機器は、第１ハウジングと、第２ハウジングと、前記第１ハウジングが前記第２ハウジングに対して回動可能となるように、前記第１ハウジングと前記第２ハウジングとを連結する支点部と、前記第１ハウジングの一端が前記第２ハウジングの一端に当接するように、前記第１ハウジング及び前記第２ハウジングに弾性力を付与するスプリングと、前記第１ハウジングの内部に配置されるコネクタと、を備え、前記第１ハウジング、前記第２ハウジング、前記支点部及び前記スプリングは、前記第１ハウジングの前記一端と前記第２ハウジングの前記一端とで対象物を挟持可能なクリップとして機能し、前記コネクタは、前記第１ハウジングの側面に設けられた開口部を通して、外部の環境発電モジュールが備えるコネクタと機械的かつ電気的に着脱可能である。このような構成とすることで、本発明の電子機器は、クリップとして機能して対象物を挟持する際、第１ハウジングの他端及び第２ハウジングの他端に力が加えられるため、外部の環境発電モジュールがコネクタに装着されている場合でも、環境発電モジュールに直接応力がからない。また、本発明の電子機器は、コネクタに装着された環境発電モジュールから電力の供給を受けることができる。従って、本発明の電子機器は、環境発電モジュールに直接応力をかけずに対象物に装着可能であり、かつ、環境発電モジュールから電力の供給を受けることが可能である。【０００８】
ここで、本発明の電子機器において、前記環境発電モジュールから前記コネクタを介して供給される電力を蓄える二次電池と、前記環境発電モジュールから供給される電力、又は、前記二次電池から供給される電力を消費可能な負荷回路要素と、をさらに備え、前記二次電池及び前記負荷回路要素は、前記第１ハウジング及び前記第２ハウジングのいずれかの内部に配置されていることが好ましい。このような構成とすることで、電子機器に装着された環境発電モジュールから供給された電力を二次電池に蓄え、環境発電モジュールが脱着された状態でも、二次電池から負荷回路要素に電力を供給することができる。【０００９】
また、本発明の電子機器において、前記二次電池及び前記負荷回路要素は、前記第１ハウジングの内部に配置されていることが好ましい。このような構成とすることで、一つのハウジングの内部に、コネクタと、二次電池と、負荷回路要素とが配置されるため、コネクタ、二次電池、及び負荷回路要素の間の配線が容易になる。【００１０】
また、本発明の電子機器において、前記負荷回路要素は、発光素子であることが好ましい。このような構成とすることで、ユーザは、環境発電モジュールから供給された電力による発光素子の発光を楽しむことができる。【００１１】
また、本発明の電子機器において、前記負荷回路要素は、発光素子と、第１の期間及び第２の期間を交互に生成するタイマと、前記発光素子に供給する電流を制御する波形整形回路と、を備え、前記波形整形回路は、前記第１の期間の間は前記発光素子に供給する電流を時間とともに増加させ、前記第２の期間の間は前記発光素子に供給する電流を時間とともに減少させることが好ましい。このような構成とすることで、後述する光拡散機能を有するカバー部等を介することで、発光素子はホタルが発光する光のように発光することができ、ユーザに生命感を感じさせることができる。【００１２】
また、本発明の電子機器において、配線基板をさらに備え、前記負荷回路要素は、前記配線基板上に配置されていることが好ましい。このような構成とすることで、負荷回路要素の配線を簡便にすることができる。【００１３】
また、本発明の電子機器において、前記二次電池及び前記配線基板は、前記第１ハウジングの内部に配置され、前記二次電池は、前記第１ハウジングの前記第２ハウジング側の面と、前記配線基板との間に配置されていることが好ましい。このような構成とすることで、第１ハウジングを小型化することができる。【００１４】
また、本発明の電子機器において、前記第２ハウジングは、平面状の底面部、又は脚部を有することが好ましい。このような構成とすることで、電子機器は、テーブル及び床のような平らな面を有する場所に安定して置くことができる。【００１５】
また、本発明の電子機器において、前記第１ハウジングは、前記支点部及び前記スプリングと連結する第１クリップ部と、前記第１クリップ部と着脱可能なカバー部と、を備えることが好ましい。【００１６】
また、本発明の電子機器において、前記第１ハウジングは、前記支点部及び前記スプリングと連結する第１クリップ部と、カバー部と、前記第１クリップ部の一端と、前記カバー部の一端とを連結する連結部と、を備え、前記カバー部は、前記連結部を支点として前記第１クリップ部に対して回動可能であることが好ましい。このような構成とすることで、電子機器１は、装着された環境発電モジュールの受光面を向けることができる方向の自由度を高めることができる。【００１７】
また、本発明の電子機器において、前記カバー部は、複数の光透過性を有するカバー部ユニットを備えることが好ましい。このような構成とすることで、複数のカバー部ユニットのそれぞれに異なる機能を持たせることができる。【００１８】
また、本発明の電子機器において、前記第２ハウジングは、外部支持体に接着可能な接着部を有することが好ましい。このような構成とすることで、電子機器を設置することができる場所の自由度を高めることができる。
【発明の効果】
【００１９】
本発明によれば、環境発電モジュールに直接応力をかけずに対象物に装着可能であり、かつ、環境発電モジュールから電力の供給を受けることが可能な電子機器を提供することができる。
【図面の簡単な説明】
【００２０】
【図１】本発明の一実施形態に係る電子機器の概略構成を示す斜視図である。
【図２】図１の電子機器の概略構成を示す側面図である。
【図３】図１の電子機器の概略構成を示す正面図である。
【図４Ａ】電子機器に環境発電モジュールが装着されている様子の側面図である。
【図４Ｂ】電子機器に環境発電モジュールが装着されている様子の上面図である。
【図５Ａ】第２ハウジングが脚部を有する場合の側面図である。
【図５Ｂ】第２ハウジングが脚部を有する場合の底面図である。
【図６】電子機器がクリップとして開状態になっている様子を示す図である。
【図７Ａ】環境発電モジュールが電子機器に装着されている状態で、電子機器が紐を挟持している様子を示す図である。
【図７Ｂ】環境発電モジュールが電子機器から脱着されている状態で、電子機器が紐を挟持している様子を示す図である。
【図８】電子機器の第１ハウジングの内部の構成の一例を示す図である。
【図９】負荷回路要素の回路構成の一例を示す図である。
【図１０】図９のＡ点における電圧の一例を示す図である。
【図１１Ａ】第１変形例に係る電子機器の概略構成を示す側面図である。
【図１１Ｂ】第１変形例に係る電子機器の概略構成をＺ軸負方向側から見た図である。
【図１２】第２変形例に係る電子機器の概略構成を示す図である。
【図１３】第３変形例に係る電子機器の概略構成を示す図である。
【図１４】第４変形例に係る電子機器の概略構成を示す図である。
【発明を実施するための形態】
【００２１】
以下、本発明の実施の形態について図面を参照して説明する。各図において共通の構成部には、同一の符号を付している。
【００２２】
まず、図１〜図３を参照して、本発明の一実施形態に係る電子機器１の構成について説明する。図１は、本発明の一実施形態に係る電子機器１の概略構成を示す斜視図である。図２は、電子機器１の側面図である。図３は、電子機器１を、図２に示すＡ方向から見た正面図である。
【００２３】
電子機器１は、外部の環境発電モジュールを機械的かつ電気的に着脱可能な電子機器である。図４Ａ及び図４Ｂに、電子機器１に環境発電モジュール５０が装着されている様子を示す。図４Ａは、電子機器１に環境発電モジュール５０が装着されている様子の側面図である。図４Ｂは、電子機器１に環境発電モジュール５０が装着されている様子の上面図である。
【００２４】
電子機器１は、環境発電モジュール５０が装着されていると、環境発電モジュール５０から発電電力の供給を受けることができる。電子機器１は、環境発電モジュール５０から電力の供給を受けると、電子機器１の内部に配置されている負荷回路要素に電力を供給し、負荷回路要素を動作させることができる。負荷回路要素は、例えば発光素子であってよい。また、電子機器１は、内部に二次電池を備えてよい。電子機器１は、環境発電モジュール５０から供給された電力で二次電池が充電されていると、環境発電モジュール５０が脱着されていても、二次電池から負荷回路要素に電力を供給することができる。
【００２５】
本実施形態においては、環境発電モジュール５０は、例えば、太陽光、室内光などの光エネルギーを利用して発電する太陽電池を有するものとして説明するが、環境発電モジュール５０は、例えば、地熱等の熱エネルギーを利用して発電する熱電変換素子を有するものであってもよい。
【００２６】
環境発電モジュール５０は、環境発電要素５１と、コネクタ５２とを備える。環境発電要素５１は、平面形状である。環境発電要素５１は、太陽光、室内光などの光エネルギーを利用して発電する太陽電池を有する。コネクタ５２は、環境発電要素５１による発電電力を出力する。環境発電モジュール５０は、環境発電要素５１の外周部にさらに保護部材を備えていてもよい。保護部材を備えていると、環境発電モジュール５０は、落下した場合又は人にぶつかった場合などに、環境発電要素５１を保護することができる。
【００２７】
電子機器１は、図１〜図３に示すように、第１ハウジング１０と、第２ハウジング２０と、支点部３０と、スプリング３５とを備える。
【００２８】
第１ハウジング１０は、第１クリップ部１１と、カバー部１２とを備える。
【００２９】
第１クリップ部１１は、第２ハウジング２０側が平面状になっている。言い換えれば、第１クリップ部１１は、第２ハウジング２０側に平面部を有する。
【００３０】
カバー部１２は、第１クリップ部１１と結合している。カバー部１２は、第１クリップ部１１に対し、第２ハウジング２０とは反対側に位置する。
【００３１】
カバー部１２は、第１クリップ部１１と一体化されていてもよいし、第１クリップ部１１と着脱可能であってもよい。カバー部１２と第１クリップ部１１とが着脱可能である場合、カバー部１２と第１クリップ部１１とを係合するための係合手段が、カバー部１２及び第１クリップ部１１の双方に設けられていてよい。係合手段は、例えば、爪、切欠き部、又は、溝などであってよい。
【００３２】
例えば、第１ハウジング１０の内部に負荷回路要素として発光素子が配置されている場合、カバー部１２を光の透過性及び拡散性等が異なるものに変更すると、ユーザは、発光素子に対して異なる照明効果を得ることができる。
【００３３】
第１ハウジング１０の側面には、開口部１３が設けられている。開口部１３は、環境発電モジュール５０を電子機器１と着脱する際に、環境発電モジュール５０のコネクタ５２が通る穴として機能する（図４Ａ及び図４Ｂ参照）。図１〜図３に示す例においては、開口部１３は、第１クリップ部１１及びカバー部１２にわたって設けられているが、この構成に限定されない。開口部１３は、例えば、カバー部１２のみに設けられていてもよい。
【００３４】
第２ハウジング２０は、第２クリップ部２１を備える。なお、図１〜図３においては、第２ハウジング２０の構成要素として、第２クリップ部２１のみを示しているが、第２ハウジング２０は、第２クリップ部２１以外の構成要素を備えていてもよい。例えば、第２ハウジング２０は、第１ハウジング１０と同様に、第２クリップ部２１と結合しているカバー部を備えていてもよい。
【００３５】
第２クリップ部２１は、第１ハウジング１０側が平面状になっている。言い換えれば、第２クリップ部２１は、第１ハウジング１０側に平面部を有する。
【００３６】
第２クリップ部２１は、図１〜図３に示す例においては、第１ハウジング１０とは反対側に平面状の底面部を有する。第２ハウジング２０が平面状の底面部を有することにより、電子機器１は、テーブル及び床のような平らな面を有する場所に安定して置くことができる。
【００３７】
第２ハウジング２０は、図５Ａ及び図５Ｂに示すように、第２クリップ部２１の第１ハウジング１０とは反対側の面（Ｚ軸の負方向側の面）に、脚部２２を有していてもよい。図５Ａは、脚部２２を有する場合の第２ハウジング２０の側面図である。図５Ｂは、脚部２２を有する場合の第２ハウジング２０の底面図である。第２ハウジング２０が脚部２２を有することにより、電子機器１は、テーブル及び床のような平らな面を有する場所に安定して置くことができる。
【００３８】
支点部３０は、図１〜図３に示すように、第１ハウジング１０が第２ハウジング２０に対して回動可能となるように、第１ハウジング１０と第２ハウジング２０とを連結する。支点部３０は、第１支点部３１と、第２支点部３２と、支点軸３３とを有する。
【００３９】
第１支点部３１は、第１クリップ部１１の第２ハウジング２０側の面に結合している。第２支点部３２は、第２クリップ部２１の第１ハウジング１０側の面に結合している。
【００４０】
支点軸３３は、第１支点部３１が有する貫通孔、及び、第２支点部３２が有する貫通孔を貫通し、第１ハウジング１０が第２ハウジング２０に対して回動する際の軸として機能する。支点軸３３は、円柱形状、又は、内部が空洞となっている円筒形状であってよい。
【００４１】
スプリング３５は、第１クリップ部１１の第２ハウジング２０側の面、及び、第２クリップ部２１の第１ハウジング１０側の面に結合している。図１〜図３に示す例においては、スプリング３５は板ばねであるが、これに限定されない。スプリング３５は、例えば、コイルばねのような他の種類のばねであってもよい。
【００４２】
スプリング３５は、第１ハウジング１０及び第２ハウジング２０に対して、図２に示すＳ方向に弾性力を付与する。第１ハウジング１０は、スプリング３５から付与される弾性力によって、支点軸３３を軸として、第２ハウジング２０に対して回動する。その結果、外力が加えられていない状態では、第１ハウジング１０の一端が第２ハウジング２０の一端に当接する。ここで、第１ハウジング１０の一端とは、第１ハウジング１０のＸ軸負方向側の端付近の部分である。第２ハウジング２０の一端とは、第２ハウジング２０のＸ軸負方向側の端付近の部分である。
【００４３】
図１〜図３に示すような構造により、第１ハウジング１０、第２ハウジング２０、支点部３０及びスプリング３５は、第１ハウジング１０の一端と第２ハウジング２０の一端とで対象物を挟持可能なクリップとして機能する。クリップが挟持する対象物としては、例えば、紐、服、帽子、鞄、及び家具などが挙げられる。
【００４４】
第１ハウジング１０の一端と第２ハウジング２０の一端とを離間させて、対象物を第１ハウジング１０の一端と第２ハウジング２０の一端との間に差し込むには、第１ハウジング１０の他端及び第２ハウジング２０の他端に、図６に示すＴ方向の力を加えればよい。図６は、クリップが開状態となっている様子を示す図である。ここで、第１ハウジング１０の他端とは、第１ハウジング１０のＸ軸正方向側の端付近の部分である。第２ハウジング２０の他端とは、第２ハウジング２０のＸ軸正方向側の端付近の部分である。このように、電子機器１は、クリップとして機能して対象物を挟持する際、図６に示すように、第１ハウジング１０の他端及び第２ハウジング２０の他端に、Ｔ方向の力を加える。そのため、電子機器１に装着された環境発電モジュール５０には、直接応力がかけられることがない。これにより、電子機器１は、装着されている環境発電モジュール５０が破損するおそれを低減することができる。また、電子機器１がクリップとして機能して対象物を挟持する際、ユーザは環境発電モジュール５０に触れる必要がないため、環境発電モジュール５０が指紋などで汚れる可能性を低減することができる。
【００４５】
図７Ａ及び図７Ｂに、クリップとして機能する電子機器１が紐６０を挟持している様子を示す。図７Ａは、環境発電モジュール５０が電子機器１に装着されている状態で、電子機器１が紐６０を挟持している様子を示す図である。図７Ｂは、環境発電モジュール５０が電子機器１から脱着されている状態で、電子機器１が紐６０を挟持している様子を示す図である。例えば、電子機器１は、内部に備える二次電池が充電されていないときは、図７Ａの状態で使用し、二次電池が充電されているときは、図７Ｂの状態で使用することができる。このように、電子機器１は、内部に備える二次電池を充電させているときと放電させているときとで、使用形態を変更することができ、使用時の形態の自由度が高い。
【００４６】
電子機器１はクリップとして機能するため、図７Ａ及び図７Ｂに示すように、紐６０等のような対象物を挟持して、様々な場所に設置することができる。
【００４７】
また、電子機器１は、第２ハウジング２０に、平面状の底面部、又は脚部２２を有するため、クリップとして機能させて対象物を挟持する代わりに、平面上に載置することもできる。この際、第１ハウジング１０は、図４Ａに示すように、電子機器１が載置される平面に対して斜めに保持されるため、電子機器１に装着された環境発電モジュール５０の受光面を斜め上側に向けて保持することができる。従って、環境発電モジュール５０が装着された電子機器１は、太陽の向きに合わせて容易に向きを変えて設置することができる。
【００４８】
図８は、電子機器１の第１ハウジング１０の内部の構成の一例を示す図である。図８に示すように、電子機器１は、第１ハウジング１０の内部に、配線基板１４と、二次電池１５と、負荷回路要素１６と、コネクタ１７とを備える。
【００４９】
配線基板１４は、第１ハウジング１０の内部に配置され、第１ハウジング１０に固定されている。配線基板１４は、第１クリップ部１１に固定されてもよいし、カバー部１２に固定されてもよい。または、配線基板１４は、第１クリップ部１１とカバー部１２の双方に固定されてもよい。
【００５０】
配線基板１４には、二次電池１５、負荷回路要素１６及びコネクタ１７が配置される。二次電池１５、負荷回路要素１６及びコネクタ１７は、配線基板１４内の配線を介して電気的に接続される。このように、第１ハウジング１０の内部において、二次電池１５、負荷回路要素１６及びコネクタ１７を配線基板１４に配置することで、二次電池１５、負荷回路要素１６及びコネクタ１７間の配線を簡便にすることができる。また、配線基板１４を第１クリップ部１１の平面部と平行に配置すると、第１クリップ部１１の平面部に対して垂直方向の高さを低くすることができるため、第１ハウジング１０を小型化することができる。
【００５１】
二次電池１５は、充放電可能な二次電池である。二次電池１５は、例えば、リチウムイオン電池又はニッケル水素電池などである。二次電池１５は、環境発電モジュール５０がコネクタ１７に装着されると、コネクタ１７を介して、環境発電モジュール５０から電力の供給を受け、電力を蓄えることができる。
【００５２】
二次電池１５は、環境発電モジュール５０から供給された電力で蓄電されていると、蓄電された電力を負荷回路要素１６に供給することができる。
【００５３】
二次電池１５を、配線基板１４の第１クリップ部１１側に配置すると、第１ハウジング１０を小型化することができる。
【００５４】
負荷回路要素１６は、例えば、ＬＥＤ（Light Emitting Diode）などの発光素子、又はスピーカなどであってよい。負荷回路要素１６は、環境発電モジュール５０がコネクタ１７に装着されると、コネクタ１７を介して、環境発電モジュール５０から電力の供給を受けることができる。また、負荷回路要素１６は、二次電池１５から電力の供給を受けることができる。負荷回路要素１６は、環境発電モジュール５０又は二次電池１５から供給される電力を消費可能である。負荷回路要素１６が発光素子である場合、カバー部１２は光透過性を有することが好ましい。カバー部１２が光透過性を有することにより、ユーザは、発光素子が発する光を見ることができる。
【００５５】
コネクタ１７は、環境発電モジュール５０のコネクタ５２と、機械的かつ電気的に着脱可能である（図４Ａ及び図４Ｂ参照）。環境発電モジュール５０のコネクタ５２は、開口部１３を通して第１ハウジング１０の内部に挿入される。
【００５６】
コネクタ１７は、環境発電モジュール５０が装着されると、環境発電モジュール５０から供給される電力を、二次電池１５又は負荷回路要素１６に供給することができる。
【００５７】
図８には図示していないが、負荷回路要素１６を起動するためのスイッチを、第１ハウジング１０に配置してもよい。スイッチは、例えば、第１ハウジング１０の外側の側面に配置してよい。スイッチを第１ハウジング１０の側面に配置すると、クリップを開状態にする際に、ユーザが第１ハウジング１０の他端を押圧しても、ユーザが誤ってスイッチを操作する可能性を低減することができる。また、スイッチとしては、ボタン式及びスライド式などが例示されるが、スイッチの変位方向を、ユーザが第１ハウジング１０を押圧する方向と垂直になるようにすると、ユーザが第１ハウジング１０の他端を押圧した際に、ユーザが誤ってスイッチを操作する可能性をさらに低減することができる。スイッチは、第２ハウジング２０に配置してもよい。
【００５８】
（負荷回路要素の一例）
図９に、負荷回路要素１６の回路構成の一例を示す。負荷回路要素１６は、充電電流制御回路１０１と、充電状態検出回路１０２と、スイッチ１０３と、波形整形回路１０４と、タイマ１０５と、抵抗１０６と、発光素子１０７とを備える。
【００５９】
図９に示す負荷回路要素１６は、発光素子１０７が発光する光の強さを、周期的に増減させる回路である。
【００６０】
充電電流制御回路１０１は、二次電池１５の充電量に応じて、スイッチ１０３の接続先を切り替える。
【００６１】
充電状態検出回路１０２は、二次電池１５の充電状態を検出して、検出した充電状態を充電電流制御回路１０１に通知する。
【００６２】
充電電流制御回路１０１は、二次電池１５の充電量が所定の閾値未満である場合、環境発電モジュール５０からコネクタ１７を介して供給される電力で二次電池１５が充電されるように、スイッチ１０３を制御する。
【００６３】
充電電流制御回路１０１は、二次電池１５の充電量が所定の閾値以上である場合、二次電池１５に充電されている電力が、波形整形回路１０４及び抵抗１０６を介して発光素子１０７に供給されるように、スイッチ１０３を制御する。
【００６４】
波形整形回路１０４は、タイマ１０５から第１の期間及び第２の期間のタイミングを受け取り、発光素子１０７に供給する電流を制御する。
【００６５】
図１０に、波形整形回路１０４の出力部であるＡ点の電圧の時間依存を示す。タイマ１０５は、第１の期間及び第２の期間のタイミングを交互に生成し、波形整形回路１０４に出力する。第１の期間と第２の期間は、同じ時間間隔であってもよいし、異なる時間間隔であってもよい。
【００６６】
波形整形回路１０４は、第１の期間の間は、Ａ点の電圧を時間とともに増加させる。すなわち、波形整形回路１０４は、第１の期間の間は、発光素子１０７に供給する電流を時間とともに増加させる。
【００６７】
波形整形回路１０４は、第２の期間の間は、Ａ点の電圧を時間とともに減少させる。すなわち、波形整形回路１０４は、第２の期間の間は、発光素子１０７に供給する電流を時間とともに減少させる。
【００６８】
発光素子１０７は、波形整形回路１０４によって整形された電流の供給を受け、第１の期間においては時間とともに発光強度を強め、第２の期間においては時間とともに発光強度を弱める。
【００６９】
このように、図９に示す負荷回路要素１６は、ホタルが発光する光のように、時間とともに強度を変えて発光素子１０７を発光させることができる。これにより、図９に示すような負荷回路要素１６で発光した発光素子１０７を見たユーザは、後述するような光拡散機能を有するカバー部１２を用いた際、発光強度の強弱の変化に伴いカバー部１２全体への光が拡散したりつぼまる様子を見ることで、生命感を感じることができる。
【００７０】
（第１変形例）
図１１Ａ及び図１１Ｂに、第１変形例に係る電子機器２の概略構成を示す。第１変形例に係る電子機器２については、図１〜図８などを参照して説明した電子機器１との相違点について主に説明する。
【００７１】
図１１Ａは、環境発電モジュール５０が装着された状態の電子機器２の側面図である。第１変形例に係る電子機器２において、第１ハウジング１０は、第１クリップ部１１及びカバー部１２に加えて、連結部１８を備える。
【００７２】
連結部１８は、第１クリップ部１１の一端と、カバー部１２の一端とを、カバー部１２が第１クリップ部１１に対して回動可能となるように連結する。連結部１８は、例えばヒンジであってよい。連結部１８で第１クリップ部１１と連結されていることにより、カバー部１２は、方向Ｂに沿って回動可能である。
【００７３】
第２ハウジング２０は、図１１Ａに示すように、第２クリップ部２１の第１ハウジング１０とは反対側の面（Ｚ軸の負方向側の面）に、外部支持体に接着可能な接着部２３を有していてもよい。ここで、「接着可能」との用語は、「粘着可能」との意味も含むものとする。図１１Ａは、電子機器２を、接着部２３によって、室内から外部支持体としての窓７０に貼り付けている様子を示す図である。
【００７４】
電子機器２は、図１１Ａに示すように、室内から窓７０に貼り付けている状態で、カバー部１２を第１クリップ部１１から離れるように回動させると、環境発電モジュール５０の受光面５３を、窓７０側に向けることができる。これにより、電子機器２は、室内から窓７０に貼り付けた状態で、受光面を窓７０側に向け、環境発電モジュール５０の発電電力の供給を受けることができる。
【００７５】
図１１Ｂは、第１変形例に係る電子機器２を、Ｚ軸負方向側から見た図である。図１１Ｂにおいては、窓７０の図示は省略している。
【００７６】
（第２変形例）
図１２に、第２変形例に係る電子機器３の概略構成を示す。第２変形例に係る電子機器３については、図１〜図８などを参照して説明した電子機器１との相違点について主に説明する。
【００７７】
電子機器３において、第２ハウジング２０は、第２クリップ部２１の第１ハウジング１０とは反対側の面（Ｚ軸の負方向側の面）に、吸盤２４を有する。
【００７８】
吸盤２４を有することにより、電子機器３は、壁又は窓などに貼り付けて使用することができる。これにより、電子機器３は、クリップ機能によっては設置できないところにも設置することができるため、設置自由度が向上する。
【００７９】
（第３変形例）
図１３に、第３変形例に係る電子機器４の概略構成を示す。第３変形例に係る電子機器４については、図１〜図８などを参照して説明した電子機器１との相違点について主に説明する。
【００８０】
電子機器４において、カバー部１２は、第１カバー部ユニット１２１及び第２カバー部ユニット１２２という複数の光透過性を有するカバー部ユニットを備える。図１３は、カバー部１２の構成を見やすくするため、カバー部１２を第１クリップ部１１から外した状態を示したものである。図１３に示すように、第２カバー部ユニット１２２は、第１カバー部ユニット１２１の外側に配置される。
【００８１】
第１カバー部ユニット１２１は、例えば、光拡散機能を有してよい。例えば、表面に光拡散フィルムを有することにより、第１カバー部ユニット１２１は、光拡散機能を有することができる。
【００８２】
第１ハウジング１０の内部に配置されている負荷回路要素１６が発光素子である場合、第１カバー部ユニット１２１が光拡散機能を有することにより、発光素子が発光する光を拡散することができる。
【００８３】
第２カバー部ユニット１２２は、例えば、ハーフミラーの機能を有してよい。第２カバー部ユニット１２２は、例えば、デザイン性の高い構成としてよい。
【００８４】
このように、カバー部１２が光拡散機能を有する第１カバー部ユニット１２１を備える構成とすると、例えば、負荷回路要素１６が図９に示したような回路構成である場合に、強度が変わる光が拡散されるため、生命感の演出効果をさらに高めることができる。
【００８５】
（第４変形例）
図１４に、第４変形例に係る電子機器５の概略構成を示す。第４変形例に係る電子機器５については、図１〜図８などを参照して説明した電子機器１との相違点について主に説明する。
【００８６】
電子機器５において、第１クリップ部１１は、一端に鋸歯部１９を有する。また、第２クリップ部２１は、一端に鋸歯部２５を有する。鋸歯部１９と鋸歯部２５とは、第１クリップ部１１の一端と第２クリップ部２１の一端とが当接する際に噛み合う構造となっている。
【００８７】
電子機器５は、鋸歯部１９及び鋸歯部２５を有することにより、クリップとして機能して対象物を挟持する際、滑り止めの効果を有することができる。
【００８８】
前述したところは本発明の一実施形態を示したにすぎず、特許請求の範囲において、種々の変更を加えてもよいことは言うまでもない。
【００８９】
例えば、配線基板１４は、第１ハウジング１０の内部に配置されるとしたが、配線基板１４は、第２ハウジング２０の内部に配置されてもよい。
【００９０】
また、例えば、二次電池１５は、第１ハウジング１０の内部に配置されるとしたが、二次電池１５は、第２ハウジング２０の内部に配置されてもよい。
【００９１】
また、例えば、負荷回路要素１６は、第１ハウジング１０の内部に配置されるとしたが、負荷回路要素１６は、第２ハウジング２０の内部に配置されてもよい。
【００９２】
また、例えば、配線基板１４は、第１ハウジング１０の内部に配置されるとしたが、第１ハウジング１０を構成する第１クリップ部１１が配線基板として機能してもよい。これにより、第１ハウジング１０をさらに小型化できる。
【００９３】
また、例えば、カバー部１２が第１クリップ部１１から着脱可能である場合、コネクタ１７は、カバー部１２の内部に配置されていてよい。この場合、配線基板１４、二次電池１５及び負荷回路要素１６も、カバー部１２の内部に配置されていてよい。
【産業上の利用可能性】
【００９４】
本発明によれば、環境発電モジュールに直接応力をかけずに対象物に装着可能であり、かつ、環境発電モジュールから電力の供給を受けることが可能な電子機器を提供することができる。
【符号の説明】
【００９５】
１、２、３、４、５  電子機器
１０  第１ハウジング
１１  第１クリップ部
１２  カバー部
１３  開口部
１４  配線基板
１５  二次電池
１６  負荷回路要素
１７  コネクタ
１８  連結部
１９  鋸歯部
２０  第２ハウジング
２１  第２クリップ部
２２  脚部
２３  接着部
２４  吸盤
２５  鋸歯部
３０  支点部
３１  第１支点部
３２  第２支点部
３３  支点軸
３５  スプリング
５０  環境発電モジュール
５１  環境発電要素
５２  コネクタ
５３  受光面
６０  紐
７０  窓
１０１  充電電流制御回路
１０２  充電状態検出回路
１０３  スイッチ
１０４  波形整形回路
１０５  タイマ
１０６  抵抗
１０７  発光素子
１２１  第１カバー部ユニット
１２２  第２カバー部ユニット
【図１】
2020021895.tif 000003
【図２】
2020021895.tif 000004
【図３】
2020021895.tif 000005
【図４Ａ】
2020021895.tif 000006
【図４Ｂ】
2020021895.tif 000007
【図５Ａ】
2020021895.tif 000008
【図５Ｂ】
2020021895.tif 000009
【図６】
2020021895.tif 000010
【図７Ａ】
2020021895.tif 000011
【図７Ｂ】
2020021895.tif 000012
【図８】
2020021895.tif 000013
【図９】
2020021895.tif 000014
【図１０】
2020021895.tif 000015
【図１１Ａ】
2020021895.tif 000016
【図１１Ｂ】
2020021895.tif 000017
【図１２】
2020021895.tif 000018
【図１３】
2020021895.tif 000019
【図１４】
2020021895.tif 000020
【国際調査報告】
2020021895.tif 000021
2020021895.tif 000022
2020021895.tif 000023
2020021895.tif 000024